(57)【要約】      （修正有）【課題】商品に取り付けられたタグに貼付し、値下げ対象商品であることをあらゆる方向から確認でき、かつ商品に取付けられたタグに印字された商品情報を隠すことのない値下げシールを提供する。【解決手段】値下げ情報１３ａが表示された第１の値下げ表示部２と、第１の値下げ表示部２に隣接し、値下げ情報１３ｂが表示された第２の値下げ表示部３と、第１の値下げ表示部２または第２の値下げ表示部３のいずれか一方に設けられ、タグに貼付するための貼付部４と、を有することを特徴とする。【選択図】図１
2008083633.tif 000002
【特許請求の範囲】
【請求項１】
シール基材と、このシール基材に設けられた粘着剤を有する値下げシールであって、
前記シール基材は、第１の値下げ情報が表示された第１の値下げ表示部と、
該第１の値下げ表示部に隣接し、第１の値下げ情報と同一内容の第２の値下げ情報が表示された第２の値下げ表示部と、
第１の値下げ表示部または第２の値下げ表示部のいずれか一方に設けられた貼付部と、を有することを特徴とする値下げシール。
【請求項２】
前記貼付部には、貼替えを防止するための複数のスリットが形成されていることを特徴とする請求項１記載の値下げシール。
【請求項３】
前記第１の値下げ表示部と前記第２の値下げ表示部は、同一形状であり、前記第１の値下げ表示部と前記第２の値下げ表示部の粘着剤を内側にし、第１の値下げ情報および第２の値下げ情報を外側にして貼り合わせたことを特徴とする請求項１または２に記載の値下げシール。
【請求項４】
前記貼付部および第１の値下げ表示部または第２の値下げ表示部の境界にミシン目を設けたことを特徴とする請求項３に記載の値下げシール。
【発明の詳細な説明】
【技術分野】
【０００１】
本発明は、商品価格の値下げに使用するシールに関し、特に商品に取り付けられ、商品化価格が印字されたタグ（下げ札）に貼付する値下げシールに関する。
【背景技術】
【０００２】
従来から商品の販売促進を目的として時間帯割引などで「半額」や「３０％ＯＦＦ」等の値下げ情報を印刷した値下げシールを貼付し、商品価格の値下げが行われている。このような値下げによる販売促進において、商品価格が印字されたタグ（下げ札）に割引率などの値下げ情報を印字したシールをタグに貼付することで行われている。
商品の元価格を表示したラベルが貼付された商品に値下げ価格情報を表示した値下げシールを貼付することで販売促進を目的とした値下げ方法が知られている（例えば特許文献１）。
【０００３】
【特許文献１】特開２００３−４３９１８号公報
【発明の開示】
【発明が解決しようとする課題】
【０００４】
ところで、衣料品の価格を表示するものとして一般的にタグが用いられ、厚紙のタグの上方に空いた孔に紐などで輪を形成し、この紐を衣料品のボタンなどに吊り下げる方法がとられている。この場合、タグはシールのように商品にしっかりと固定されていないため、価格を表示した表示面がどの方向を向くか分からず不安定であり、そのタグの表面に値下げシールを貼付しても、消費者が値下げ対象商品であることに気づかずに販売の機会を失ってしまうという問題があった。
また、タグには商品の情報（商品の価格や商品の色やサイズ、商品の管理情報やバーコード）等あらゆる情報が印字されており、このタグの上に値下げシールを貼付すると商品の情報を隠してしまう恐れがあった。
本発明は、値下げ対象製品であることをあらゆる方向から確認でき、かつタグに印字された商品情報を隠すことなく貼付できる値下げシールを提供することを目的とする。
【課題を解決するための手段】
【０００５】
本発明に係る値下げシールは、シール基材と、このシール基材に設けられた粘着剤を有する値下げシールであって、前記シール基材は、第１の値下げ情報が表示された第１の値下げ表示部と、該第１の値下げ表示部に隣接し、第１の値下げ情報と同一内容の第２の値下げ情報が表示された第２の値下げ表示部と、第１の値下げ表示部または第２の値下げ表示部のいずれか一方に設けられた貼付部と、を有することを特徴とする。
また、前記貼付部には、貼替えを防止するための複数のスリットが形成されていることを特徴とする。
また、前記第１の値下げ表示部と前記第２の値下げ表示部は、同一形状であり、前記第１の値下げ表示部と前記第２の値下げ表示部の粘着剤を内側にし、第１の値下げ情報および第２の値下げ情報を外側にして貼り合わせたことを特徴とする。
また、前記貼付部および第１の値下げ表示部または第２の値下げ表示部の境界にミシン目を設けたことを特徴とする。
【発明の効果】
【０００６】
第１の値下げ表示部および第２の値下げ表示部を設けたので第１の値下げ情報と第２の値下げ情報によって商品が値下げ対象であることを顧客により一層アピールすることができる。
また、貼付部に複数のスリットを形成することによって値下げシールを値下げ対象外の商品に貼り替えられるのを防止することができる。
また、第１の値下げ情報および第２の値下げ情報を外側にして第１の値下げ表示部と第２の値下げ表示部を貼り合わせたことによって、２方向から値下げ情報を確認する事が可能となり、顧客に値下げ対象商品であることをアピールすることができる。
また、貼付部および第１の値下げ表示部または第２の値下げ表示部の境界にミシン目を設けることで貼付部から第１の値下げ表示部および第２の値下げ表示部を切り離すことができる。
【発明を実施するための最良の形態】
【０００７】
以下、図面を参照しながら発明を実施するための最良の形態について説明する。
【０００８】
図１は、本発明の実施の形態に係る値下げシール表面側の平面図であり、図２は図１のII−II線断面図である。
値下げシール１は、図２に示すように上層からシール基材１０と、シール基材１０の下層の全面に設けられた粘着剤１１からなり、粘着剤１１により図示しない剥離紙上に複数の値下げシール１が仮着されている。また、値下げシール１は、図１に示すように  第１の値下げ表示部２と、この第１の値下げ表示部２の値下げシール１の長手方向に隣接する第２の値下げ表示部３と、第１の値下げ表示部２と第２の値下げ表示部３の境界位置にある第１のミシン目５と、第２の値下げ表示部３の値下げシール１の長手方向に隣接し、第１の値下げ表示部２に対象（反対）の位置に設けられた貼付部４と、第２の表示部３と貼付部４の境界位置にある第２のミシン目６を有している。
【０００９】
第１の値下げ表示部２には、その表面に例えば「この商品は表示価格よりレジにて半額」という値下げ情報１３ａが印刷されており、背景を赤色、文字を白抜きとする等の目立つような印刷が施されている。また、値下げ情報１３ａの文字の方向は、第１のミシン目５を下側としている。
【００１０】
第２の値下げ表示部３には、第１の値下げ表示部２に印字された値下げ情報１３ａと同一の内容を第１のミシン目５を介して値下げ情報１３ａを１８０度反転させた値下げ情報１３ｂが印刷されており、背景を赤色、文字を白抜きとする等の目立つような印刷が施されている。尚、第１の値下げ表示部２と第２の値下げ表示部３の長手方向の長さおよび幅方向の長さは略同一の同一形状である。
【００１１】
貼付部４には、値下げシール１の貼替え防止のためのスリット１２が形成されている。スリット１２は、値下げシール１の３辺の端部からそれぞれ内側に向かって設けられた複数の外側スリット１４と、貼付部４の外側スリット１４の内側に設けられ貼付部４の四隅方向から中心に斜め方向に向かって設けられた複数の内側スリット１５を有している。
【００１２】
第１のミシン目５は、シール基材１０を適正な位置で折り曲げ可能とするために設けられ、第２のミシン目６は、シール基材１０を切り取り可能とするために設けられている。
【００１３】
このように構成した値下げシールをタグに貼付する方法について図３ないし図５に基づき説明する。図３は、値下げシールを折り曲げようとしている状態を示す図で、図４は値下げシールを貼る対象となるタグの平面図で、図５は図４のタグに値下げシールを貼り付けた状態を示す図である。
【００１４】
まず、図３に示すように値下げシール１の第１のミシン目５を中心として、粘着剤１１を内側にした状態で第１の値下げ表示部２と第２の値下げ表示部３の裏面の粘着剤１１同士を貼り合わせる。第１の値下げ表示部２と第２の値下げ表示部３は、同一形状であるためこの貼り合わせた状態において、第１の値下げ表示部２の端縁が第２のミシン目６に重なる位置に配置され、貼付部４の粘着剤１１のみが露出する。
【００１５】
このように第１の値下げ表示部２と第２の値下げ表示部３を貼りあわせた状態の値下げシール１を図５に示すようにタグ２０の下端に貼付する。タグ２０は、図４に示すように衣料品等の商品に吊り下げるための紐２６を通す孔２１と、少なくともいずれか一方の面に印字された商品情報２２を有している。
【００１６】
孔２１は、タグ２０の長手方向の一端部かつ幅方向の中央に位置し、紐２６で吊り下げられた際にタグ２０が幅方向に傾かないようにしている。
【００１７】
商品情報２２は、商品の内容情報２３、正規価格情報２４、バーコード２５等からなり、この商品情報２２は図示しないプリンタにより印字されている。例えば、図４に示す本実施の形態の商品は、服などの衣料品を想定しており、その商品の内容情報２３として「Ｎｏ．１２３４５６７８９」として商品管理番号と、「ＳＩＺＥ  Ｍ  ＣＯＬＯＲ  Ｂ」として服のサイズがＭで色が青であることを示す情報と、「毛５０％アクリル５０％」としてその服の材質に関する情報が印字されている。また、正規価格情報２４として「￥１９８０」の消費税込みの総額が印字されている。バーコード２５は、商品管理番号等が記憶されており、このバーコード２５をＰＯＳレジに接続されたスキャナで読取り、商品の価格情報が記憶されたストアコントローラから価格情報を問い合わせるシステム構成となっている。
【００１８】
図５（ａ）は、タグに値下げシールを貼り付けた状態においてタグの表面側から見た平面図で、図５（ｂ）は、図５（ａ）におけるタグの裏面側から見た平面図である。図５（ａ）に示すように第１の値下げ表示部２と第２の値下げ表示部３を貼りあわせた値下げシール１の貼付部４の裏面の粘着剤１１によりタグ２０の商品情報２２が印刷されていない面（裏面）側に貼付する。このとき、図５（ｂ）に示すようにタグ２０の孔２１から離れた側のタグ２０の端縁に値下げシール１の第２のミシン目６の位置を一致させて貼付する。このように商品情報２２が印刷されていないタグの裏面側に値下げシールを貼付するので、タグ２０の表面側にある商品情報２２を値下げシール１（貼付部４）で隠すことがないので、タグ２０の表面側に印字する商品情報のレイアウトを自由に設定することができる。
また、第１の表示部２および第２の値下げ表示部３を貼り合わせているので、タグ２０が風で靡いて方向が変わったとしても、消費者は両面から値下げシール１の値下げ情報１３ａ、１３ｂを確認することができるので値下げ対象商品であることを十分にアピールすることができる。
【００１９】
次に、タグに貼付した値下げシールを取り除く方法について図６および図７に基づき説明する。図６は、値下げシール取り外し過程のタグ裏面から見た説明図、図７は値下げシールをタグから取り除いた状態を示す平面図である。
商品のタイムセールやバーゲンセールが終了したあと等に商品価格を値下げ価格から正規価格に戻す必要があり、図６に示すように値下げシールの第２のミシン目６から引きちぎり、値下げシール１の第１の値下げ表示部２および第２の値下げ表示部３を取り除く。タグ２０の孔２１から離れた側のタグ２０の端縁に値下げシール１の第２のミシン目６の位置を一致させて貼付しているため、容易に第２のミシン目６から切断することができる。
【００２０】
図７（ａ）は値下げシール取り除き後のタグを表面側から見た平面図であり、図７（ｂ）は、図７（ａ）におけるタグの裏面側からみた平面図である。図７（ａ）に示すように第１の値下げ表示部２と第２の値下げ表示部３を取り除く事で、タグ２０の商品情報２２のみ目視可能となるので商品の価格を正規価格に戻すことができる。また、図７（ｂ）に示すようにタグ２０の裏面には貼付部４が残存する。
【００２１】
また、このような値下げシール１は、一部の値下げ対象商品に対して貼付されるものであるため、値下げシール１が剥されて値下げ対象外の商品に貼替えられるのを防止する必要があり、このために貼付部４にはスリット１２が形成されている。タグ２０から値下げシール１を剥そうとすると貼付部４の外側スリット１４をきっかけとして破れ、内側スリット１５に繋がって破れるので、綺麗な状態で剥す事ができず、これをもって貼替えを防止している。
【００２２】
また、貼付部４に形成されたスリットは任意の数、位置、形状とすることができ、例えば図８（ａ）に示すように前述したスリット１２よりも多くスリットを設けたり、図８（ｂ）に示すように内側スリット１５を交差させて設けても良い。
【００２３】
また、第１の値下げ表示部２および第２の値下げ表示部３には、それぞれ値下げ情報１３ａ、１３ｂを予め印刷したものとしたが、これに限らず、任意の値下げ情報をプリンタで印字できるようにしても良い。例えば図９は、第２の実施の形態を示す値下げシール３０の平面図であり、図９（ａ）に示すように値下げ情報を予め印刷せず、値下げ情報を印字するための印字領域３１ａ、３１ｂを設けている。印字領域３１ａ、３１ｂはシール基材１０上層に感熱発色層を設けたもので、図示しないプリンタのサーマルヘッドの発熱によって、任意に「３０％ＯＦＦ」や「６０％ＯＦＦ」などの値下げ情報１３ａ、１３ｂを印字することができる。図９（ｂ）は印字領域３１ａ、３１ｂに「３０％ＯＦＦ」との値下げ情報を印字した例を示しているが、それ以外にセール期間等も印字することがきる。
【００２４】
また、図１に示すように第２の値下げ表示部３の一方端に第１の値下げ表示部２を設け、この第１の値下げ表示部２の対象位置の第２の値下げ表示部３の他方端に貼付部４を隣接させて（第２の表示部３を第１の値下げ表示部２および貼付部４で挟みこむように）設けたが、これに限るものではない。例えば、図１０は第３の実施の形態を示す値下げシール４０の平面図であり、図１０に示すように第１の値下げ表示部２および第２の値下げ表示部３を第１のミシン目５を介して隣接位置に設け、第１の値下げ表示部２の対象でない位置の第２の値下げ表示部３の端部に貼付部４を隣接させて設けても良い。この場合、貼付部４側を上側として第１の表示部２および第２の表示部３に印刷がされている。また、第２の実施の形態および第３の実施の形態にかかる構成について、前述した第１の実施の形態と同一の構成には同一の符号を付しその説明を省略する。
【００２５】
また、貼替え防止の構成としてスリット１２を設けたが、疑似接着によって剥すと粘着性を失わせるようにしても良い。例えば図１１は、第４の実施の形態の値下げシール５０の断面図で、図１２はタグ２０に貼付された値下げシール５０を剥そうとした状態を示す説明図である。また、上述した構成と同一の構成には同一の符号を付しその説明を省略する。
【００２６】
図１１に示すように値下げシール５０は、上層からシール基材１０と、シール基材１０の下層の全面に設けられた疑似接着層５１と、疑似接着層５１によってシール基材１０に接着された中間基材５２と、中間基材５２の下層の全面に設けられた粘着剤１１を有し、図示しない剥離紙上に複数の値下げシール５０が仮着されている。中間基材５２は、例えば７０μｍ以下の厚みの上質紙やコート紙で、シール基材１０は中間基材５２よりも厚みのある基材で、粘着剤１１は粘着力の強い粘着剤であることが好ましい。
【００２７】
このように、構成した値下げシール５０において、第１のミシン目５を中心として粘着剤１１を内側にした状態で第１の値下げ表示部２と第２の値下げ表示部３の裏面の粘着剤１１同士を貼り合わせ、貼付部４のみの粘着剤１１を露出させる。この貼付部４の粘着剤１１により図１２に示すようにタグ２０の商品情報２２が印字されていない面（裏面）側に貼付する。貼付された値下げシール５０を剥そうとすると、貼付部４の粘着剤１１によってタグ２０に強固に貼付されているので、疑似接着層５１から剥がれ、シール基材１０と中間基材５２が分離する。分離後のシール基材１０は疑似接着層５１により粘着力が失われているので値下げシール５０を他の商品に貼り替えられることを防止することができる。疑似接着構造を用いた値下げシール５０においては、貼付部４にスリット１２を設けなくても良いが、より一層貼り替え防止効果を高めるためにスリット１２を形成しても良い。
【００２８】
なお、本発明が上記各実施の形態に限定されず、本発明の技術思想の範囲内において、各実施の形態は適宜変更され得ることは明らかである。また、上述した各種構成部材の数、位置、形状等は上記実施の形態に限定されず、本発明を実施する上で好適な数、位置、形状等にすることができる。
【図面の簡単な説明】
【００２９】
【図１】本発明の実施の形態に係る値下げシール表面側の平面図。
【図２】図１のII−II線断面図。
【図３】値下げシールを折り曲げようとしている状態を示す図。
【図４】タグの平面図。
【図５】タグに値下げシールを貼り付けた状態を示す図。
【図６】値下げシール取り外し過程のタグ裏面から見た状態を表す説明図。
【図７】値下げシールをタグから取り除いた状態を示す平面図。
【図８】貼付部４のスリットの他の例を示す平面図。
【図９】本発明の第２の実施の形態に係る値下げシール表面側の平面図。
【図１０】本発明の第３の実施の形態に係る値下げシール表面側の平面図。
【図１１】本発明の第４の実施の形態に係る値下げシールの裏面側の断面図。
【図１２】タグに貼付された値下げシールを剥そうとした状態を示す説明図。
【符号の説明】
【００３０】
１    値下げシール
２    第１の値下げ表示部
３    第２の値下げ表示部
４    貼付部
５    第１のミシン目
６    第２のミシン目
１０    シール基材
１１    粘着剤
１２    スリット
１３ａ、１３ｂ    値下げ情報
１４    外側スリット
１５    内側スリット
２０    タグ
２１    孔
２２    商品情報
２３    内容情報
２４    正規価格情報
２５    バーコード
２６    紐
３０    値下げシール（第２の実施の形態）
３１ａ、３１ｂ    印字領域
４０    値下げシール（第３の実施の形態）
５０    値下げシール（第４の実施の形態）
５１    疑似接着層
５２    中間基材
【図１】
2008083633.tif 000003
【図２】
2008083633.tif 000004
【図３】
2008083633.tif 000005
【図４】
2008083633.tif 000006
【図５】
2008083633.tif 000007
【図６】
2008083633.tif 000008
【図７】
2008083633.tif 000009
【図８】
2008083633.tif 000010
【図９】
2008083633.tif 000011
【図１０】
2008083633.tif 000012
【図１１】
2008083633.tif 000013
【図１２】
2008083633.tif 000014